(57)【要約】【課題】設計者が製品に使用予定部品の情報を取得する場合、部品製造メーカのカタログで探すか自社が管理する部品情報データベースから検索する必要があり、部品情報の取得に時間がかかっていた。展開接続図から抽出された部品情報は、印刷されたリスト，用品手配依頼書，原価表，設計明細書などの紙出力で示されていた。実装情報を調べるには、正面図や器具配置図などの別図面を参照する必要があった。【解決手段】部品改廃情報データベース１４と、組立図情報データベース１６とを備え、ＣＡＤシステムで作画された展開接続図が持つ属性情報を利用し、データベース１１〜１３，１５から部品情報および実装情報を自動取得し、展開接続図上で選択された部品の部品情報と実装情報とを併せて表示し、展開接続図に記載された部品の改廃情報を表示するとともに、組立情報も表示できる。【選択図】　　　　図１
2004054372.tif 000002
【特許請求の範囲】
【請求項１】
モニタ画面で指定された部品を読み取る入力処理部と、
展開接続図の図面情報を蓄積した展開接続図データベースと、
前記展開接続図から指定された前記部品の固有情報を抽出する図面情報処理部と、
部品の仕様情報を蓄積した部品情報データベースと、
部品の在庫情報および／または納期情報を蓄積した在庫管理情報データベースと、
部品の改廃情報を蓄積した部品改廃情報データベースと、
前記部品情報データベースに蓄積された前記部品の仕様などのカタログ情報，前記在庫管理情報データベースに蓄積された前記部品の在庫情報および／または納期情報，前記部品改廃情報データベースに蓄積された前記部品の改廃情報および代替品情報の少なくとも一つを取得する部品情報処理部と、
前記部品の実装情報を蓄積した実装図情報データベースと、
前記実装図情報データベースから部品が使用されている座標情報および実装情報を取得する実装情報処理部と、
上記各情報処理部から得られた情報をモニタ画面上に表示する出力処理部とを備えたＣＡＤシステム。
【請求項２】
請求項１に記載のＣＡＤシステムにおいて、
前記ＣＡＤシステムが、モジュール化された部品の組立情報を蓄積した組立図情報データベースを備え、
前記実装情報処理部が、前記実装図情報データベースからモジュール化された部品の座標情報および実装情報を取得し前記組立図情報データベースからモジュール化された部品の組立情報を取得し、
前記出力処理部が、モジュール化された部品の組立情報を前記モニタ画面上に表示する
ことを特徴とするＣＡＤシステム。
【請求項３】
請求項１または２に記載のＣＡＤシステムにおいて、
前記部品情報処理部が、前記部品改廃情報データベースに周期的に問い合わせて変更が発生した場合に前記ＣＡＤシステムのオペレータに通知する手段を含むことを特徴とするＣＡＤシステム。
【請求項４】
請求項１ないし３のいずれか一項に記載のＣＡＤシステムにおいて、
前記ＣＡＤシステムが、部品製造メーカの部品情報データベースと前記ＣＡＤシステムの前記部品情報データベースとを接続し前記部品製造メーカが持つ最新の部品情報を取り込む通信手段を備えた
ことを特徴とするＣＡＤシステム。
【請求項５】
請求項１ないし４のいずれか一項に記載のＣＡＤシステムにおいて、
前記ＣＡＤシステムが、据え置き型ＣＡＤシステムの前記各データベースと無線通信し自らの各データベースの内容を更新する手段を備えた携帯端末である
ことを特徴とするＣＡＤシステム。
【発明の詳細な説明】
【０００１】
【発明の属する技術分野】
本発明は、ＣＡＤシステム（Ｃｏｍｐｕｔｅｒ　Ａｉｄｅｄ　Ｄｅｓｉｇｎ　Ｓｙｓｔｅｍ）に係り、特に、情報提示機能を備えたＣＡＤシステムに関する。
【０００２】
【従来の技術】
展開接続図に記載されている部品について、電気的仕様，部品製造メーカ，在庫，納期などの情報を得ようとする場合、従来は、まず、展開接続図からその部品の型式を読み取り、部品製造メーカのカタログまたは自社の部品管理部門が管理している部品情報データベースからその部品の情報を入手していた。
【０００３】
特開平１０−０４０２７８号公報は、設計に用いる部品について、使用禁止部品データベースに登録されているか否かを検索し、登録されていた場合、代替品の検索情報を出力し、登録されていない場合、その部品の検索情報を出力する方法を提案している。
【０００４】
特開平１０−０６３７４８号公報は、展開接続図の電子データから使用部品を抽出し、発注期限を管理しながら用品を自動手配する用品手配装置を提案している。
【０００５】
特開２００１−０２８０１１号公報は、展開接続図の電子データから器具実装図（器具配置図）を自動作成し、さらに部品情報を自動抽出し、原価表および設計明細書を自動作成するシステムを提案している。
【０００６】
【発明が解決しようとする課題】
上記従来技術では、設計者が製品に使われている部品の情報を取得しようとする場合、部品製造メーカが提供するカタログを探すか自社で管理する部品情報データベースから検索する必要があり、この部品情報を取得するために時間を割かれていた。
【０００７】
特開平１０−０４０２７８号公報の例では、展開接続図から抽出された部品情報は、印刷されたリストや用品手配依頼書または原価表および設計明細書などの紙にプリントアウトした形で提示されていた。
【０００８】
これら従来技術では、いずれも、実装情報を知ろうとする場合、正面図および器具配置図などの別図面を参照する必要があった。
【０００９】
特開平１０−０６３７４８号公報の例では、用品の手配を迅速かつ正確に実行することに重点が置かれ、設計段階でＣＡＤオペレータが部品製造メーカが提供するカタログを探すか自社で管理する部品情報データベースから検索する時間および労力のロスを削減することは、ほとんど配慮されていない。
【００１０】
特開２００１−０２８０１１号公報の例では、部品メーカ側で部品の改廃があった場合に、マスタデータをどのように更新するかについての工夫が示されていない。また、マスタデータは、その名の通り、自社で管理する部品情報データベースのマスタデータであり、設計段階でＣＡＤオペレータが検索しやすいか否かは、ほとんど配慮されていない。
【００１１】
本発明の目的は、モニタ画面上に表示された展開接続図の該当部品を指定すると、自動的に部品情報を取得し、モニタ画面上に部品情報を表示するとともに、部品の実装情報を併せて表示する手段を備えたＣＡＤシステムを提供することである。
【００１２】
【課題を解決するための手段】
本発明は、上記目的を達成するために、モニタ画面で指定された部品を読み取る入力処理部と、展開接続図の図面情報を蓄積した展開接続図データベースと、展開接続図から指定された部品の固有情報を抽出する図面情報処理部と、部品の仕様情報を蓄積した部品情報データベースと、部品の在庫情報および／または納期情報を蓄積した在庫管理情報データベースと、部品の改廃情報を蓄積した部品改廃情報データベースと、部品情報データベースに蓄積された部品の仕様などのカタログ情報，在庫管理情報データベースに蓄積された部品の在庫情報および／または納期情報，部品改廃情報データベースに蓄積された部品の改廃情報および代替品情報の少なくとも一つを取得する部品情報処理部と、部品の実装情報を蓄積した実装図情報データベースと、実装図情報データベースから部品が使用されている座標情報および実装情報を取得する実装情報処理部と、上記各情報処理部から得られた情報をモニタ画面上に表示する出力処理部とを備えたＣＡＤシステムを提案する。
【００１３】
本発明においては、ＣＡＤシステムにより作画された展開接続図が持つ属性情報を利用し、データベースから部品情報および実装情報を取得し、モニタ画面上に部品情報と実装情報とを併せて表示する。
【００１４】
展開接続図に記載された部品の改廃情報を表示するとともに、展開接続図上で選択された部品の部品情報を表示し、実装情報を表示できるので、設計者が、部品製造メーカが提供するカタログを探すか自社で管理する部品情報データベースから検索する必要は無く、この部品情報を取得するために時間を大幅に削減できる。
【００１５】
前記ＣＡＤシステムは、モジュール化された部品の組立情報を蓄積した組立図情報データベースを備え、実装情報処理部は、実装図情報データベースからモジュール化された部品の座標情報および実装情報を取得し組立図情報データベースからモジュール化された部品の組立情報を取得し、出力処理部が、モジュール化された部品の組立情報をモニタ画面上に表示することができる。
【００１６】
したがって、より具体的な組立情報を併せて表示でき、ＣＡＤオペレータが各種情報の対応関係を把握しやすくなる。
【００１７】
前記部品情報処理部は、部品改廃情報データベースに周期的に問い合わせて変更が発生した場合にＣＡＤシステムのオペレータに通知する手段を含む
ことも可能である。
【００１８】
このような通知方式を採用すると、部品情報を積極的に提示できる。
【００１９】
前記ＣＡＤシステムは、部品製造メーカの部品情報データベースとＣＡＤシステムの部品情報データベースとを接続し部品製造メーカが持つ最新の部品情報を取り込む通信手段を備えてもよい。
【００２０】
ＣＡＤシステムで取り扱う部品に関するデータベースと部品製造メーカのデータベースとを相互接続すると、部品製造メーカの在庫，納期，部品の改廃予定などの最新の部品情報もＣＡＤの段階で利用できる。
【００２１】
前記ＣＡＤシステムは、据え置き型ＣＡＤシステムの各データベースと無線通信し自らの各データベースの内容を更新する手段を備えた携帯端末として構成することもできる。
【００２２】
このような構成の携帯型ＣＡＤシステムは、使用場所を制限されることがなく、顧客への提案活動や作業現場での作業確認などに広く利用できる。
【００２３】
【発明の実施の形態】
次に、図１〜図８を参照して、本発明によるＣＡＤシステムの実施形態を説明する。
【００２４】
【実施形態１】
図１は、本発明による部品情報提示機能および実装情報提示機能を備えたＣＡＤシステムの一実施形態の構成を示すブロック図である。
【００２５】
本実施形態のＣＡＤシステムは、マウスまたはトラックボールなどのポインティングデバイス１０１と、モニタ（モニタ画面）１０２と、入力処理部１と、図面情報処理部２と、部品情報処理部３と、実装情報処理部４と、出力処理部５と、展開接続図データベース１１と、部品情報データベース１２と、在庫管理データベース１３と、部品改廃情報データベース１４と、実装図情報データベース１５と、組立図情報データベース１６とからなる。
【００２６】
入力処理部１は、モニタ画面１０２に表示された展開接続図の該当部品を選択するポインティングデバイス１０１のＸ，Ｙ座標を読み取る。
【００２７】
図面情報処理部２は、入力処理部１から取り込まれたＸ，Ｙ座標と画面に表示しているＣＡＤデータとに基づいて、選択されている部品を特定し、選択した部品の型式または部品コードなどの部品固有情報を展開接続図データベース１１から抽出する。
【００２８】
部品情報処理部３は、図面情報処理部２により抽出された部品固有情報に基づき、部品情報データベース１２，在庫管理データベース１３，部品改廃情報データベース１４から必要な部品情報を抽出する。
【００２９】
すなわち、部品情報処理部３は、部品製造メーカから提供される電気的仕様などのカタログ情報を部品情報データベース１２から抽出し、部品の在庫や納期などの在庫管理情報を在庫管理データベース１３から抽出し、部品製造メーカにより提供される部品改廃情報および代替品情報を部品改廃情報データベース１４から抽出する。
【００３０】
実装情報処理部４は、部品情報処理部３により抽出された固有情報に基づき、実装図情報データベース１５および組立図情報データベース１６から実装情報および組立情報を抽出する。
【００３１】
すなわち、実装情報処理部４は、実装図から選択されている部品の取付位置情報を実装図情報データベース１５から抽出し、組立図において選択されているモジュール部品の取付位置情報を組立図情報データベース１６から抽出する。
【００３２】
出力処理部５は、部品情報処理部３が抽出した部品情報または実装情報処理部４が抽出した実装情報をモニタ画面１０２上に表示する。
【００３３】
図２は、本発明による部品情報提示機能および実装情報提示機能を備えたＣＡＤシステムの処理手順を示すフローチャートである。
【００３４】
ステップ１：オペレータは、モニタ画面１０２に表示された展開接続図上で、ポインティングデバイス１０１により、開きたいシートを選択する。
【００３５】
ステップ２：入力処理部１は、モニタ画面１０２に表示された展開接続図におけるポインティングデバイス１０１のＸ，Ｙ座標を読み取る。図面情報処理部２は、入力処理部１から取り込まれたＸ，Ｙ座標と画面に表示しているＣＡＤデータとに基づいて、選択されている部品を特定し、選択した部品の型式または部品コードなどの部品固有情報を展開接続図データベース１１から抽出する。
【００３６】
図面情報処理部２が、選択されたシート番号を読み取り、展開接続図データベース１１から当該図面のＣＡＤデータを取得する。
【００３７】
ステップ３：図面情報処理部２は、取得したＣＡＤデータをコピーし、作業用図面ファイルを作成する。
【００３８】
ステップ４：部品情報処理部３は、その図面内で使用されている部品を抽出しリスト化した上でその部品固有の情報を取得する。図３は、部品情報データベース１２のデータ構造の一例を示している。
【００３９】
ステップ５：部品情報処理部３は、ステップ４で抽出した部品固有の情報を検索キーとして、前記部品に改廃情報がないかを部品改廃情報データベース１４に問い合わせる。図４は、部品改廃情報データベース１４のデータ構造の一例を示している。
【００４０】
ステップ６：当該シート内の部品に改廃があった場合、改廃情報を取得する。
【００４１】
ステップ７：ステップ３において作成した作業用図面ファイルに強調表示する属性情報を追加し、作業用図面ファイルを更新する。
【００４２】
ステップ８：オペレータが現在表示していない他のシートを表示するために選択した場合、ステップ２に戻り、新たに選択したシートの図面情報を取得する。
【００４３】
ステップ９：部品情報処理部３は、現在表示しているシート内の部品を選択した場合、選択された部品の部品固有情報を検索キーとして、部品製造メーカが提供するカタログなどに記載されている電気的仕様などの部品情報を部品情報データベース１２から取得し、在庫管理データベース１３から現在保有している前記部品の在庫や発注した場合の納期などの在庫管理情報を取得する。図５は、部品在庫情報データベース１３のデータ構造の一例を示している。
【００４４】
ステップ１０：出力処理部５においてステップ９で取得した部品情報を表示するためのウインドウを作成し、モニタ画面１０２に表示する。図６は、本発明による部品情報提示機能および実装情報提示機能を備えたＣＡＤシステムにおいてリレーの部品情報を表示した画面の一例を示している。
【００４５】
ステップ１１：オペレータが、現在表示していない他のシートを表示するために選択した場合、ステップ２に戻り、新たに選択したシートの図面情報を取得する。一方、現在表示しているシート内の他の部品を選択した場合、ステップ９に戻り、新たに選択した部品の部品情報を取得する。
【００４６】
ステップ１２：現在表示している部品の実装情報を選択した場合、実装情報処理部４は、選択された部品の部品固有情報を検索キーとして、実装図情報データベース１５からどの回路板のどの位置に実装されているかの実装情報を取得し、組立図情報データベース１６からモジュール内のどの位置に実装されているかの実装情報を取得する。図７は、実装図情報データベース１５のデータ構造の一例を示している。
【００４７】
ステップ１３：出力処理部５は、ステップ１２で取得した実装情報を表示するためのウインドウを作成し、モニタ画面１０２に表示する。図８は、本発明による部品情報提示機能および実装情報提示機能を備えたＣＡＤシステムにおいてリレーの実装情報を組立図として表示した画面の一例を示している。
【００４８】
ステップ１４：オペレータが、現在表示していない他のシートを表示するために選択した場合、ステップ２に戻り、新たに選択したシートの図面情報を取得する。一方、現在表示しているシート内の他の部品を選択した場合、ステップ９に戻り、新たに選択した部品の部品情報を取得する。
【００４９】
【実施形態２】
部品情報処理部３が、部品改廃情報データベース１４への問い合わせを例えば周期的に実行し、変更が発生した場合に、ＣＡＤオペレータに対し、例えばメールなどの通知手段を用いて、部品改廃情報が変更されたことを通知するような構成を採用してもよい。
【００５０】
このような通知方式を採用すると、部品情報を積極的に提示できる。
【００５１】
【実施形態３】
インターネットまたは公衆回線などの通信手段を介して、部品情報データベース１２，部品改廃情報データベース１４，在庫管理データベース１３と部品製造メーカのデータベースとを相互接続する方式を採用することも可能である。
【００５２】
ＣＡＤシステムで取り扱う部品に関するデータベースと部品製造メーカのデータベースとを相互接続すると、部品製造メーカの在庫，納期，部品の改廃予定などの最新の部品情報もＣＡＤの段階で利用できる。
【００５３】
【実施形態４】
データベースと無線通信する手段を備えると、液晶モニタなどを利用した小型の携帯端末に実装したＣＡＤシステム／提示システムを実現できる。
【００５４】
このような構成の携帯型ＣＡＤシステムは、使用場所を制限されることがなく、顧客への提案活動や作業現場での作業確認などに広く利用できる。
【００５５】
なお、本発明は、展開接続図（電気回路情報）から部品情報，実装情報を表示するシステムに限られたものではなく、属性情報を持つ電子図面で描かれた電気回路情報と部品情報，実装情報とを有機的に結合させたＣＡＤシステムに対しても適用できる。
【００５６】
【発明の効果】
本発明によれば、モニタ画面上に表示された展開接続図の該当部品を指定すると、部品情報を自動的に取得し、展開接続図上で選択された部品の部品情報と実装情報とを併せて表示し、展開接続図に記載された部品の改廃情報を表示するとともに、組立情報も表示できる。
【００５７】
展開接続図に記載された部品の改廃情報を表示するとともに、展開接続図上で選択された部品の部品情報を表示し、実装情報を表示できるので、設計者が、部品製造メーカが提供するカタログを探すか自社で管理する部品情報データベースから検索する必要は無く、この部品情報を取得するために時間を大幅に削減できる。
【００５８】
部品情報処理部が、部品改廃情報データベースへの問い合わせを例えば周期的に実行し、変更が発生した場合に、ＣＡＤオペレータに対し、例えばメールなどの通知手段を用いて、部品改廃情報が変更されたことを通知するような構成を採用したので、部品情報を積極的に提示できる。
【００５９】
インターネットまたは公衆回線などの通信手段を介して、部品情報データベース，部品改廃情報データベース，在庫管理データベースと部品製造メーカのデータベースとを相互接続する方式を採用した場合、ＣＡＤシステムで取り扱う部品に関するデータベースと部品製造メーカのデータベースとを相互接続すると、部品製造メーカの在庫，納期，部品の改廃予定などの最新の部品情報もＣＡＤの段階で利用できる。
【００６０】
データベースと無線通信する手段を備えると、液晶モニタなどを利用した小型の携帯端末に実装したＣＡＤシステム／提示システムを実現でき、このような構成の携帯型ＣＡＤシステムは、使用場所を制限されることがなく、顧客への提案活動や作業現場での作業確認などに広く利用できる。
【図面の簡単な説明】
【図１】本発明による部品情報提示機能および実装情報提示機能を備えたＣＡＤシステムの一実施形態の構成を示すブロック図である。
【図２】本発明による部品情報提示機能および実装情報提示機能を備えたＣＡＤシステムの処理手順を示すフローチャートである。
【図３】部品情報データベース１２のデータ構造の一例を示す図である。
【図４】部品改廃情報データベース１４のデータ構造の一例を示す図である。
【図５】部品在庫情報データベース１３のデータ構造の一例を示す図である。
【図６】本発明による部品情報提示機能および実装情報提示機能を備えたＣＡＤシステムにおいてリレーの部品情報を表示した画面の一例を示す図である。
【図７】実装図情報データベース１５のデータ構造の一例を示す図である。
【図８】本発明による部品情報提示機能および実装情報提示機能を備えたＣＡＤシステムにおいてリレーの実装情報を組立図として表示した画面の一例を示す図である。
【符号の説明】
１　入力処理部
２　図面情報処理部
３　部品情報処理部
４　実装情報処理部
５　出力処理部
１１　展開接続図データベース
１２　部品情報データベース
１３　在庫管理データベース
１４　部品改廃情報データベース
１５　実装図情報データベース
１６　組立図情報データベース
１０１　ポインティングデバイス
１０２　モニタ（モニタ画面）
【図１】
2004054372.tif 000003
【図２】
2004054372.tif 000004
【図３】
2004054372.tif 000005
【図４】
2004054372.tif 000006
【図５】
2004054372.tif 000007
【図６】
2004054372.tif 000008
【図７】
2004054372.tif 000009
【図８】
2004054372.tif 000010